(57)【要約】【課題】  顧客の購買意欲を喚起でき、またユーザーが予備知識を持っていなくても機能を発揮できるデジタルカメラを提供する。【解決手段】  制御部７０は、撮像部２０により得られる撮像画像について画像認識処理を行い、その認識結果に基づいて複数のデモンストレーションモードを切り替えて実行する。【選択図】        図１
2005203906.tif 000002
【特許請求の範囲】
【請求項１】
撮像手段により得られる撮像画像について画像認識処理を行う画像認識手段と、
この画像認識手段による認識結果に基づいてデモンストレーションモードを実行するデモモード制御手段と
を備えることを特徴とするデジタルカメラ。
【請求項２】
撮像手段により得られる撮像画像について画像認識処理を行う画像認識手段と、
この画像認識手段による認識結果に基づいて複数のデモンストレーションモードを切り替えて実行するデモモード制御手段と
を備えることを特徴とするデジタルカメラ。
【請求項３】
上記デモモード制御手段は、上記画像認識手段による認識結果に基づいて、人がカメラの前を通り過ぎた場合と人がカメラを持ち上げた場合とで、デモンストレーションモードを切り替えて実行することを特徴とする請求項２記載のデジタルカメラ。
【請求項４】
上記画像認識手段は、撮像画像上に設定した複数の評価ポイントにおける画像の変化の有無に基づいて画像認識結果を得ることを特徴とする請求項３記載のデジタルカメラ。
【請求項５】
撮像画像について画像認識処理を行い、
この画像認識識結果に基づいてデモンストレーションモードを実行する
ことを特徴とするデジタルカメラの制御方法。
【請求項６】
撮像画像について画像認識処理を行い、
この画像認識識結果に基づいて、複数のデモンストレーションモードを切り替えて実行する
ことを特徴とするデジタルカメラの制御方法。
【請求項７】
上記画像認識結果に基づいて、人がカメラの前を通り過ぎた場合と人がカメラを持ち上げた場合とで、デモンストレーションモードを切り替えて実行することを特徴とする請求項６記載のデジタルカメラの制御方法。
【請求項８】
撮像画像上に設定した複数の評価ポイントにおける画像の変化の有無に基づいて画像認識結果を得ることを特徴とする請求項６記載のデジタルカメラの制御方法。
【発明の詳細な説明】
【技術分野】
【０００１】
本発明は、画像を表示可能な画像表示部を備えたデジタルカメラに関する。
【背景技術】
【０００２】
電化製品やＯＡ製品の大型販売店には、数多くの商品が陳列されており、販売点に出向いた顧客は、実際に商品に触れて、自分の好みに合致するかどうかを判断することができる。
【０００３】
デジタルカメラにおいても、数々のメーカから多くの機種が販売されており、顧客は自分の好みに合致するものをその中から探すことができる。
【０００４】
しかしあまりに多い製品によって次のような問題が生じている。
（１）例えば、同等の性能・同等の価格であるとしても陳列場所などによって顧客の手に取る頻度に格差が生じる。
（２）また、実際に顧客が手にとってみても機能や性能が充分に解らないため、何を買っていいかわからない。
【０００５】
これらの問題に対して、例えば、ボディに設けたＬＥＤを点滅させるなどするデモンストレーションモードを設定可能な銀塩カメラが提案されている。かかる銀塩カメラを、販売店の店頭においてデモンストレーションモードで動作させると、ある程度顧客の興味を呼び起こすことができる（例えば、特許文献１参照）。
【０００６】
また、デジタルスチルカメラにおいて、液晶ディスプレイを使用し、顧客の購買意欲を喚起させるような画像や機能説明などを表示させるデモンストレーションモードも知られている（例えば、特許文献２参照）。
【０００７】
【特許文献１】特開平３−１９７９３５号公報
【特許文献２】特開平１５−１０１８５０号公報
【発明の開示】
【発明が解決しようとする課題】
【０００８】
顧客に対して商品をアピールするためのデモンストレーションモードを設定することにより上記（１）の問題は解決することができ、また、商品の機能などを説明するためのデモンストレーションモードを設定するにより上記（２）の問題は解決することができるのであるが、従来、これらのデモンストレーションモードは、それぞれ単独で設定されていた。
【０００９】
しかしながら、顧客の心を掴む上では、この２つのデモンストレーションモードは本来１つの流れとして機能することが望ましい。
【００１０】
つまり前者のデモンストレーションモードによって（１）の問題を解決し、それによって製品が手に取られた場合にかぎり後者のデモンストレーションモードが動き、（２）の問題を解決するという一連の動作が、顧客の心を掴む上で重要である。
【００１１】
従来の技術では、上記２つのモードを適切に切り替えることはできなかったため、注意を引かせ興味を持たせるという一連の流れのデモンストレーションモードは大変難しかった。
【００１２】
そこで、本発明は、画像認識により、最適なタイミング（例えば、カメラの前を人が通り過ぎた場合とカメラが持ち上げられた場合）で複数のデモンストレーションモードの切り替えを可能にすることを目的とし、これによって上記（１），（２）の問題を解決することを可能にするものである。
【００１３】
すなわち、本発明の目的は、上述の如き従来の実情に鑑み、顧客の購買意欲を喚起でき、またユーザーが予備知識を持っていなくても機能を発揮できるデジタルカメラを提供することにある。
【００１４】
本発明の更に他の目的、本発明によって得られる具体的な利点は、以下に説明される実施の形態の説明から一層明らかにされる。
【課題を解決するための手段】
【００１５】
本発明では、最適なタイミング、例えば、カメラの前を人が通り過ぎた場合とカメラが持ち上げられた場合によって、複数のデモンストレーションモードを切り替える。
【００１６】
すなわち、本発明に係るデジタルカメラは、撮像手段により得られる撮像画像について画像認識処理を行う画像認識手段と、この画像認識手段による認識結果に基づいてデモンストレーションモードを実行するデモモード制御手段とを備えることを特徴とする。
【００１７】
また、本発明に係るデジタルカメラは、撮像手段により得られる撮像画像について画像認識処理を行う画像認識手段と、この画像認識手段による認識結果に基づいて複数のデモンストレーションモードを切り替えて実行するデモモード制御手段とを備えることを特徴とする。
【００１８】
本発明に係るデジタルカメラにおいて、上記デモモード制御手段は、上記画像認識手段による認識結果に基づいて、人がカメラの前を通り過ぎた場合と人がカメラを持ち上げた場合とで、デモンストレーションモードを切り替えて実行する。
【００１９】
また、本発明に係るデジタルカメラにおいて、上記画像認識手段は、撮像画像上に設定した複数の評価ポイントにおける画像の変化の有無に基づいて画像認識結果を得る。
【００２０】
本発明に係るデジタルカメラの制御方法は、撮像画像について画像認識処理を行い、この画像認識識結果に基づいてデモンストレーションモードを実行することを特徴とする。
【００２１】
また、本発明に係るデジタルカメラの制御方法は、撮像画像について画像認識処理を行い、この画像認識識結果に基づいて、複数のデモンストレーションモードを切り替えて実行することを特徴とする。
【００２２】
本発明に係るデジタルカメラの制御方法では、例えば、上記画像認識結果に基づいて、人がカメラの前を通り過ぎた場合と人がカメラを持ち上げた場合とで、デモンストレーションモードを切り替えて実行する。
【００２３】
本発明に係るデジタルカメラの制御方法では、例えば、撮像画像上に設定した複数の評価ポイントにおける画像の変化の有無に基づいて画像認識結果を得る。
【発明の効果】
【００２４】
本発明では、最適なタイミング（例えば、カメラの前を人が通り過ぎた場合とカメラが持ち上げられた場合）で複数のデモンストレーションモードを切り替えることによって、顧客の注意を引きたいという商品側の要望と、機能や性能を良くわかりたいという顧客側の要望を満たすことが可能とすることができる。
【発明を実施するための最良の形態】
【００２５】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２６】
本発明は、例えば図１に示すような構成のデジタルカメラ１００に適用される。
【００２７】
このデジタルカメラ１００は、被写体からの撮像光がレンズブロック１０を介し照射されるＣＣＤイメージセンサを備える撮像部２０、この撮像部２０により得られる画像信号が供給される画像信号処理部３０、この画像信号処理部３０に接続された記憶部４０や液晶表示部５０、上記画像信号処理部３０により生成された記録画像データを記録メディア６０に記録する制御部７０などからなる。
【００２８】
上記撮像部２０は、ＣＣＤイメージセンサによる撮像出力として得られる画像信号をＡ／Ｄ変換器によりデジタル化して画像信号処理部３０に供給する。
【００２９】
また、上記画像信号処理部３０は、上記撮像部２０により得られた画像信号が供給されるデジタル信号処理部３１、上記デジタル信号処理部３１を介して記憶部４０のキャプチャ領域４１に取り込まれた画像データの解像度変換を行う解像度変換処理部３２、この解像度変換処理部３２により解像度変換された画像データを液晶表示部５０により表示するためのビデオエンコーダ３３、上記解像度変換処理部３２により解像度変換された記録画像データをＪＰＥＧ方式に準拠した画像データに変換するＪＰＥＧ処理部３４などからなる。
【００３０】
また、上記記憶部４０は、例えばＳＤＲＡＭからなり、上記撮像部２０により得られた画像データ上記デジタル信号処理部３１を介して取り込むキャプチャ領域４１、上記解像度変換処理部３２により解像度変換された表示画像データを保持しておく表示画像データ保持領域４２、上記解像度変換処理部３２により解像度変換された記録画像データを保持しておく記録画像データ保持領域４３を備える。
【００３１】
上記制御部７０は、このカメラシステム全体の制御する機能を備えるマイクロコントローラ７１からなる。この制御部７０には、操作部８０、スピーカ９１やストロボ発光部９２などが接続されている。
【００３２】
このデジタルカメラ１００において、被写体からの撮像光はレンズブロック１０を介して撮像部２０のＣＣＤイメージセンサに到達する。この撮像部２０では撮像光を電気信号に変換することにより得られる撮像信号をＡ／Ｄ変換器によりデジタル化して画像信号処理部３０に供給する。
【００３３】
そして、上記撮像部２０により被写体を撮像して得られた画像データは、上記画像信号処理部３０のデジタル信号処理部３１を介して記憶部４０のキャプチャ領域４１に生画像として取り込まれる。
【００３４】
上記キャプチャ領域４１に生画像として取り込まれた画像データは、解像度変換処理部３２で解像度変換されて指定画像サイズにサイズ変更される。
【００３５】
上記解像度変換処理部３２は、解像度変換した表示画像データを記憶部４０の表示画像データ保持領域４２を介してビデオエンコーダ３３に供給する。
【００３６】
上記ビデオエンコーダ３３は、表示画像データをＲＧＢ信号に変換して、このＲＧＢ信号により撮像画像を液晶表示部５０に表示させる。
【００３７】
また、上記解像度変換処理部３２は、解像度変換した記録画像データを記憶部４０の記録画像データ保持領域４２を介してＪＰＥＧ処理部３４に供給する。
【００３８】
上記ＪＰＥＧ処理部３４は、上記解像度変換処理部３２により解像度変換された記録画像データをＪＰＥＧ圧縮してＪＰＥＧ方式に準拠した画像データに変換する。
【００３９】
そして、上記ＪＰＥＧ処理部３４によりＪＰＥＧ圧縮された記録画像データは、制御部のマイクロコントローラ７１により、記憶メディア６０に保存される。
【００４０】
このデジタルカメラ１００において、スピーカ９１やストロボ発光部９２などが接続されている制御部７０は、上記撮像部２０により得られる撮像画像データについての画像認識結果に基づいて複数のデモンストレーションモードを切り替えて、次のようなデモンストレーションモードの制御を行う。
【００４１】
具体的な例としてカメラの前を人が通った場合とカメラが人に持ち上げられた場合を認識させデモンストレーションモードを切り替える方法について説明する。
【００４２】
画像認識方法の簡単な流れを図２及び図３に示す。
【００４３】
この具体例では、画面内に５つの評価ポイントＰ１〜Ｐ５を設置し、その評価ポイントＰ１〜Ｐ５での画像の変化を画像認識のパラメータとして使用している。
【００４４】
図２は、このデジタルカメラ１００の前を人が通り過ぎた場合の液晶表示部５０の画面を示した図である。５つある評価ポイントＰ１〜Ｐ５のうち幾つかのポイントに変化が生じることがわかる。この場合をカメラの前を人が通り過ぎた場合として認識する。
【００４５】
また、図３は、このデジタルカメラ１００が持ち上げられた場合の液晶表示部５０の画面を示した図である。カメラが持ちあげられると，画面が移動するため５つある評価ポイントＰ１〜Ｐ５すべてに変化が生じる。この場合カメラが人によって持ち上げられたと認識する。
【００４６】
ここで、設定された評価ポイントＰ１〜Ｐ５から評価値を算出する方法について、図４を参照して説明する。
【００４７】
このデジタルカメラ１００において、撮像部２０により得られた画像は３０回／１秒のタイミングで液晶表示部５０に表示されており、その画像１枚を図４においての表示画１枚とする。
【００４８】
このデジタルカメラ１００における制御部７０では、得られた表示画において評価ポイントＰ１〜Ｐ５を設定し、評価ポイントＰ１〜Ｐ５について、次の（１）式により評価値を算出する。
【００４９】
【数１】
2005203906.tif 000003
【００５０】
このとき、Ｔは表示枚数（１／３０ｓ／枚），Ｘは評価ポイントの横の幅（ｐｉｘｅｌ），Ｙは縦の幅（ｐｉｘｅｌ）である。Ｉｔｘｙは、ある評価ポイントにおいて時間Ｔ，横Ｘ，縦Ｙの点における輝度値（０〜２５５）の値である。つまり、この（１）式は表示画の、あるポイントの時間的・空間的平均を算出する式となっている。
【００５１】
このデジタルカメラ１００におけるデモンストレーションモードの制御は、上記制御部７０により、図５のフローチャートに示す手順にしたがって実行される。
【００５２】
評価値は上記（１）式によりＴ／３０ｓに一度のタイミングで算出される。このとき前回の評価値と差異を調べることで画像認識を行っている。
【００５３】
上記制御部７０は、上記操作部８０の操作によりデモンストレーションモードが設定されると、まず、ステップＳ１において、評価ポイントＰ１〜Ｐ５においてＴ／３０ｓ毎に上記（１）式により評価値を算出する。
【００５４】
次のステップＳ２では、評価値に変化があるか否かを判定する。
【００５５】
このステップＳ２では、前回の評価値と現在の評価値を比較し、差がある範囲に収まっていた場合、変化がないものとし、上記ステップＳ１に戻って再度評価値算出を行う。
【００５６】
また、このステップＳ２において、評価値の差がある範囲以上だった場合、変化がおきたとして、次のステップＳ３の処理に移る。
【００５７】
ステップＳ３では、複数ある評価ポイントＰ１〜Ｐ５すべて変化がおきているか否かを調べる。
【００５８】
このステップＳ３において、すべての評価ポイントＰ１〜Ｐ５では変化が起きてない場合は、人がデジタルカメラ１００の前を通り過ぎた場合と認識し、ステップＳ４の第１のデモンストレーションモードへ移行し、第１のデモンストレーションモードが終了すると上記ステップＳ１に戻ってまた評価値の算出を行う。
【００５９】
また、ステップＳ３において、すべての評価ポイントＰ１〜Ｐ５で変化が起きている場合は、デジタルカメラ１００が人の手に取られたと認識し、ステップＳ５の第２のデモンストレーションモードへと移行する。
【００６０】
そして、第２のデモンストレーションモードが終わるとデモンストレーションモードの処理を終了し、時間をおいてまたデモンストレーションモードの処理を開始から始める。
【００６１】
ここで、上記ステップＳ４の第１のデモンストレーションモードは、展示されているデジタルカメラ１００の前を通り過ぎた顧客に対して、このデジタルカメラ１００の存在をアピールするためのデモンストレーションモードであって、図６のフローチャートに示す手順にしたがって実行される。
【００６２】
すなわち、この第１のデモンストレーションモードでは、まず、アピールモード制御部がフラッシュ制御部にリクエストを送り、ストロボ発光部９２にストロボ発光を行う（ステップＳ４１）。
【００６３】
次に、アピールモード制御部がメロディ制御部にリクエストを送り、その時点で、スピーカ９１からメロディが流れているか否かを判定し（ステップＳ４２）、メロディが流れていない場合には、メロディを流す（ステップＳ４３）。
【００６４】
そして、第１のデモンストレーションモードを抜けて、上記ステップＳ１の評価値算出に戻る。
【００６５】
また、上記ステップＳ５の第２のデモンストレーションモードは、展示されているデジタルカメラ１００を持ち上げた顧客に対して、このデジタルカメラ１００の機能などを説明するためのデモンストレーションモードであって、図7のフローチャートに示す手順でしたがって実行される。
【００６６】
すなわち、この第２のデモンストレーションモードでは、まず、デモモード制御部がキー入力制御部にすべてのキーを無効化するリクエストを送り、操作部８０のすべてのキーを無効化する（ステップＳ５１）。
【００６７】
次に、キャラクタ制御部によりキャラクタを液晶表示部５０の画面に表示させるとともに、ＯＳＤ制御部によりアイコンやキャラクタのセルフを上記液晶表示部５０の画面に表示させる（ステップＳ５２）。なお、ストロボ発光やメロディの制御を同時に行うようにしてもよい。
【００６８】
次に、キー入力制御部が任意のキーを有効化させる。また、時間制御部がユーザーのレスポンスを監視し、ある時間反応がない場合には、電源制御部が電源を遮断する（ステップＳ５３）。
【００６９】
また、ユーザーがキーを操作した場合には、デモモード制御部が次のブロックに移る（ステップＳ５４）。
【００７０】
そして、すべてのデモンストレーションが終了すると、デモモード制御部が直接、電源制御部にリクエストを送り電源を遮断する（ステップＳ５５）。
【００７１】
以上説明したように、このデジタルカメラ１００では、最適なタイミング、例えば、カメラの前を人が通り過ぎた場合とカメラが持ち上げられた場合によって、複数のデモンストレーションモードを切り替えるので、顧客の注意を引きたいという商品側の要望と、機能や性能を良くわかりたいという顧客側の要望をみたすことができる。
【図面の簡単な説明】
【００７２】
【図１】本発明を適用したデジタルカメラ構成を示すブロック図である。
【図２】上記デジタルカメラの前を人が通り過ぎた場合の液晶表示部の画面を示した図である。
【図３】上記デジタルカメラが持ち上げられた場合の液晶表示部の画面を示した図である。
【図４】上記デジタルカメラにおいて設定された評価ポイントから評価値を算出する方法の説明に供する図である。
【図５】上記デジタルカメラにおけるデモンストレーションモードの制御の手順を示すフローチャートである。
【図６】上記デジタルカメラにおける第１のデモンストレーションモードの制御の手順を示すフローチャートである。
【図７】上記デジタルカメラにおける第１のデモンストレーションモードの制御の手順を示すフローチャートである。
【符号の説明】
【００７３】
１０  レンズブロック、２０  撮像部、３０  画像信号処理部、３１  デジタル信号処理部、３２  解像度変換処理部、３３  ビデオエンコーダ、３４  ＪＰＥＧ処理部、４０  記憶部、４１  キャプチャ領域、４２  表示画像データ保持領域、４３  記録画像データ保持領域、５０  液晶表示部、６０  記録メディア、７０  制御部、７１  マイクロコントローラ、８０  操作部、９１  スピーカ、９２  ストロボ発光部、１００  デジタルカメラ、
【図１】
2005203906.tif 000004
【図２】
2005203906.tif 000005
【図３】
2005203906.tif 000006
【図４】
2005203906.tif 000007
【図５】
2005203906.tif 000008
【図６】
2005203906.tif 000009
【図７】
2005203906.tif 000010